(57)【特許請求の範囲】
【請求項１】
少なくとも２つの縦型レール部材と少なくとも２つの縦型パネル部材の両部材の長手面を向かい合わせるように順次連結することによって管状に構成した本体部と、
当該本体部が立設されるベース部と、
当該ベース部に備わるキャスターと、を備え、
前記縦型パネル部材には、種々のサービスユニットを取り付ける為の取付窓が、前記管状に構成された本体部の外側と内側を連通するように備わる
ことを特徴とする移動式医療機械器具設置ステーション。
【請求項２】
請求項１において、
前記縦型パネル部材には、複数の前記取付窓が備わる
ことを特徴とする移動式医療機械器具設置ステーション。
【請求項３】
請求項１又は２において、
前記縦型レール部材の所望の位置に取付可能なアーム部を備える
ことを特徴とする移動式医療機械器具設置ステーション。
【発明の詳細な説明】
【技術分野】
【０００１】
本発明は、病院内で利用される医療機械器具の技術分野に関する。
【背景技術】
【０００２】
従来から、病院内（特に集中治療室等）では、ガスや酸素、電源、バキューム（吸引）といった各種動力源等を一箇所に纏めて供給できるシステムが備わっている。例えば、天井から吊設されるシーリングユニットが有名であるが、設置に莫大なコストがかかると共に移動範囲が極めて制限されるという問題がある。
【０００３】
そこで、特許文献１に記載されているような、キャスターを備えた移動式のステーションも利用されている。特許文献１に記載の移動式ステーションは、例えば、酸素供給ユニットや吸入ユニットなどの、呼吸を支援する等のために必要な機器、さらに麻酔ガスの供給などを備えており、キャスターにより移動自在に構成されている。
【０００４】
また、この特許文献１に記載の移動式ステーションは、２本の垂直支柱を備え、この垂直支柱には、電源用の幾つかのコンセントおよび医療用ガス出口を備える。電力コンセントには、部屋の壁にある電源コンセントに接続され電力の供給を受けることが可能とされている。更に、この移動式ステーションには、病院の中央供給源に接続された吸引ユニット・パネルが設けられている。更に、２本の垂直支柱に、テーブルや収納ボックスが架設されるような構成となっている。
【先行技術文献】
【特許文献】
【０００５】
【特許文献１】特表平１０−５０８７７０号公報
【発明の概要】
【発明が解決しようとする課題】
【０００６】
しかしながら、特許文献１に記載の移動式ステーションは、略専用設計品であり、ユーザーの要望に柔軟に対応することが困難であった。仮にユーザーの要望に対応しようとすれば、高いコストを要することとなり、競争環境が厳しくコスト意識の高い病院においては選択され難い現実があった。
【０００７】
そこで本発明は、実際に使用するユーザーの希望に応じて、仕様変更の行いやすい移動式医療機械器具設置ステーションを低コストで提供する事をその課題としている。
【課題を解決するための手段】
【０００８】
上記課題を解決するべく、本願発明は、縦型レール部材と縦型パネル部材の両部材の長手面を合わせるように順次連結することによって管状に構成した本体部と、当該本体部が立設されるベース部と、当該ベース部に備わるキャスターと、を備え、前記縦型パネル部材には、種々のサービスユニットを取り付ける為の取付窓が備わることを特徴とする。
【０００９】
移動式医療機械器具設置ステーションでは、治療や手術の際に使用する医療機器等の動力源としての電力やガス、バキューム、更には患者に供給される酸素等を供給する為の供給口が設けられる他、治療等の際に必要となる器機類を設置できる等の能力が求められるが、上記のように本体部を縦型レール部材と縦型パネル部材とを利用して管状に構成し、各縦型パネル部材に取付窓を設けたことによって、略３６０°どの方向にも所望のサービスユニットを取り付けることが可能となっている。更に、本体部を構成する縦型レール部材の存在によって、所望の高さ位置に医療機械器具を取り付けるアームやテーブルを設置することができると共に、取り付け高さの変更も行いやすいという特徴を有している。
【００１０】
更に、本体部を、縦型レール部材と縦型パネル部材の両部材の長手面を合わせるように順次連結することによって管状に構成するというアイデアによって、組み合わせる部材の数や形状を適宜変更して、レール数や取付窓の数、更には本体部全体の形状も柔軟に設計変更できるというメリットがあると共に、レール部材などは規格品を利用することもでき、製造コストを大きく抑えることが可能となる。
【００１１】
また、前記縦型パネル部材には、複数の前記取付窓が備わるように構成してもよい。
【００１２】
このように構成すれば、より多くのサービスユニットが設置でき、ユーザーの意向に沿った移動式医療機械器具設置ステーションを構成することが可能となる。
【００１３】
また、前記取付窓の規格を統一化（共通化）し、所望の位置の取付窓に所望の種類のサービスユニットを取り付けることができるように構成してもよい。
【００１４】
このように構成すれば、ユーザーの意向の変化に合わせてサービスユニットの変更（位置や種類の変更）を行い易い。
【００１５】
また、前記縦型レール部材の所望の位置に取付可能な種々のアーム部を備えるように構成してもよい。
【００１６】
このように構成すれば、必要な時に必要な高さに医療機械器具等を取り付ける為のポールやスタンドを取り付けることができる。当然ながら不要の場合はアームユニット自体を取り外す事ができるので、移動式医療機械器具設置ステーション自体のハンドリンク性能の悪化を防止することができる。
【発明の効果】
【００１７】
本発明を適用することで、ユーザーの希望に応じて、仕様変更の行いやすい移動式医療機械器具設置ステーションを低コストで提供する事ができる。
【図面の簡単な説明】
【００１８】
【図１】本発明に係る移動式医療機械器具設置ステーションの全体図であって、（ａ）が正面図、（ｂ）が左側面図である。
【図２】本発明に係る移動式医療機械器具設置ステーションの背面図である。
【図３】本体部の断面図である。
【図４】第１レール部材であって、（ａ）が全体図、（ｂ）が端面図である。
【図５】第２レール部材であって、（ａ）が全体図、（ｂ）が端面図である。
【図６】第１パネル部材であって、（ａ）が全体図、（ｂ）が端面図である。
【図７】第２パネル部材であって、（ａ）が全体図、（ｂ）が端面図である。
【図８】サービスユニットの一例であるガス供給ユニットであって、（ａ）が全体図、（ｂ）が端面図である。
【発明を実施するための形態】
【００１９】
以下、添付図面を参照しつつ、本発明の実施形態の一例である移動式医療機械器具設置ステーション１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２０】
〈移動式医療機械器具設置ステーションの構成〉
本発明の実施形態の一例として示す移動式医療機械器具設置ステーション１００は、縦長に且つ平面視略三角管形に構成された本体部１１０と、  当該本体部１００が立設固定されるベース部１３０と、当該ベース部１３０に備わるキャスター１４０と、を備えた構成とされている。キャスター１４０にはストッパー機能が備わっており、当該ストッパー機能によって所望の位置に固定することもでき、また、ストッパー機能を解除すれば、動式医療機械器具設置ステーション１００全体を、所望の場所に容易に移動させる事が可能である。
【００２１】
本体部１１０は、３本の縦型レール部材（第１レール部材１１１が一本と第２レール部材１１３が二本）と、３枚の縦型パネル部材（第１パネル部材１１２が二枚と第２パネル部材１１４が一枚）の長手面を合わせるように順次連結することによって管状に構成されている。即ち、本体部１１０の内側は中空に構成されており、各種ライン（電源、ガス、酸素、バキューム等のライン）を自由に取り回すことが可能となっている。
【００２２】
本実施形態においては、第１レール部材１１１及び第２レール部材１１３はいずれも、アルミニウム合金の押出成形品が利用される。また、第１パネル部材１１２及び第２パネル部材１１４は、薄手の冷間圧延鋼板に塗装を施した材料により構成されている。このような材料で本体部１１０を構成しているので、本体部１１０を管状に構成したことと相俟って、本発明に係る移動式医療機械器具設置ステーション１００を軽量に仕上げることが可能となっている。
【００２３】
図３の断面図に示している通り、本体部１１０の正面中央位置には、断面視略Ｘ字形の第１レール部材１１１が配置されている。第１レール部材１１１は、四方面にそれぞれ一本の取付溝（スリット）１１１ａが形成されており、このうち正面側に位置する取付溝１１１ａが、後述するアーム部等を取り付ける為に使用される。また、右側面及び左側面に形成される取付溝（スリット）１１１ａを利用して、隣り合う第１パネル部材１１２とボルト及びナットにより連結される。
【００２４】
第１レール部材１１１の左右には、３つの取付窓１１２ａを備えた第１パネル部材（縦型パネル部材）１１２がそれぞれ連結固定される。本実施形態においては、左右対称とされていて、同じパネル部材の上下を逆にして第１レール部材１１１の左右に連結固定されている。取付窓１１２ａには各種サービスユニット（詳細は後述する。）が取り付けられる。また、第１パネル部材１１２に備わる３つの取付窓１１２ａは、全て同じサイズに統一されており、サービスユニットは、どの取付窓１１２ａに取り付けることも可能とされている。
【００２５】
第１パネル部材１１２の奥方には、略Ｌ字形に形成された第２レール部材１１３が連結固定されている。第２レール部材１１３にも、第１レール部材同様に、複数の取付溝（スリット）１１３ａが形成されており、各パネル部材との連結やアーム部の取付には当該取付溝（スリット）１１３ａが利用される。
【００２６】
２つの第２レール部材１１３の間を埋めるように、断面視略コ字形の第２パネル部材１１４がボルト及びナットにより連結固定されている。この第２パネル部材１１４にも、３つの取付窓１１４ａが形成されており、各取付窓１１４ａはいずれも同じサイズとされている。
【００２７】
また、第１パネル１１２の取付窓１１２ａには、種々のサービスユニット（例えば、電源コンセント、ガスアウトレット、酸素アウトレット、バキューム等を備えたサービスユニット）１１９を適宜取り付ける事ができる。また、特段動力源等の供給が必要ない場合は、取付窓１１２ａに蓋をするように、単なる板状のサービスユニットを取り付けておくことも可能である。
【００２８】
一方、背面に位置する第２パネル部材１１４の取付窓には、当該移動式医療機械器具設置ステーション１００に対する各種インレット（電源、ガス、酸素、バキューム等）が取り付けられたサービスユニット１１８が取り付けられている。これらインレットは、病院内に設置される供給源とラインで接続される。なおここでも、取付窓１１４ａに蓋をするように、単なる板状のサービスユニットを取り付けておくことも可能である。なお、本実施形態における第２パネル部材１１４の取付窓１１４ａは、第１パネル部材１１２に備わる取付窓１１２ａとはサイズが異なるが、共通サイズで構成することも可能である。但し、本実施形態のように、各種インレットと取り付ける為のサービスユニットのサイズを敢えて異なるサイズとしておくことによって、ユーザーが、インレット及びアウトレットを間違えて操作することを未然に防止でき、また、インレット及びアウトレットの方向を統一化することによって、移動式医療機械器具設置ステーション１００の取り回しが行い易い（インレット用ラインとアウトレット用ラインが同一方向に混在し難く、錯綜し難い）という利点がある。
【００２９】
また、図１（ａ）及び図２に示しているように、第２レール部材１１３には、例えば、ポール１６０をクランプして支持固定することが可能なアーム部１５０が設置される。このアーム部１５０の取付位置は、第２レール部材１１３の取付溝（スリット）１１３ａにそって、所望の高さ位置に位置決め固定することが可能となっている。アーム部１５０の先端には、クランプネジ１５２が設けられており、ポール１６０をクランプして固定することが可能となっている。このポール１６０には、図示はしていないが、例えばシリンジポンプ等を取り付ける事が可能となっている。また、ポール１６０の上方には、点滴等輸液を吊下しておくための輸液用フック１６２が形成されている。
【００３０】
また、図１（ｂ）に示しているように、第１レール部材１１１には、例えば、各種医療機械器具を設置したり載置するためのテーブル１５５、１５７を備えたアーム部１５４、１５６が取り付けられている。この取付位置は、第１レール部材１１１の取付溝（スリット）１１１ａに沿って、所望の高さ位置に位置決め固定することが可能となっている。
【００３１】
〈移動式医療機械器具設置ステーションの作用・機能〉
本発明に係る移動式医療機械器具設置ステーション１００には、ユーザーが必要とする各種サービスユニット（電源、ガス、酸素、バキューム等）を所望の取付窓１１２ａに取り付けることができる。全てに同じまた、１枚の第１パネル部材１１２について、高さ方向の異なる位置に、同サイズの取付窓１１２ａが計３つ形成されているので、使用状況に合わせて適切な取付窓１１２ａを選択してサービスユニット１１９を取り付ける事が可能となっている。極論すれば全ての取付窓１１２に同じ種類のサービスユニットを取り付ける事も可能であるし、逆に全て異なる種類のサービスユニットを取り付ける事も可能である。更に、取付窓１１２ａは全て同じサイズとされているので、一度サービスユニットを取り付けた後であっても、事後的に別の取付窓１１２ａに取り付け直すことによって、サービスユニット１１９の取付位置を変更することも極めて容易である。
【００３２】
本発明に係る移動式医療機械器具設置ステーション１００では、本体部１１０を縦型レール部材と縦型パネル部材とを利用して管状に構成し、各縦型パネル部材に取付窓を設けたことによって、略３６０°どの方向にも所望のサービスユニットを取り付けることが可能となっている。更に、本体部を構成する縦型レール部材の存在によって、所望の高さ位置に医療機械器具を取り付けるアームやテーブルを設置することができると共に、取り付け高さの変更も行いやすいという特徴を有している。
【００３３】
更に、本体部１１０を、第１、第２レール部材１１１、１１３と第１、第２パネル部材１１２、１１４の両部材の長手面を合わせるように順次連結することによって管状に構成するというアイデアによって、組み合わせる部材の数や形状を適宜変更して、レール数や取付窓の数、更には本体部１１０全体の形状も柔軟に設計変更できるというメリットがあると共に、レール部材などは規格品を利用することもできるため、製造コストを大きく抑えることが可能となっている。
【００３４】
更に、本体部１１０を管状（即ち本体部の中が中空）に構成しているので、本発明に係る移動式医療機械器具設置ステーション１００を軽量に仕上げることが可能となっており、ハンドリング性能も高い。
【００３５】
〈その他の構成例〉
本実施形態においては、上記の通り、３本の縦型レール部材（第１レール部材１１１が一本と第２レール部材１１３が二本）と、３枚の縦型パネル部材（第１パネル部材１１２が二枚と第２パネル部材１１４が一枚）で本体部１１０を構成しているが、この構成に限定される趣旨の発明ではない。例えば、本体部を四角柱様に構成し、四隅にレール部材を配置すると共に、それらを４枚のパネル部材で繋ぐような構成を採用することも可能である。縦型レール部材と縦型パネル部材とを順番に相互に連結することによって本体部を管状に構成する限りにおいて、自由な設計が可能である。
【符号の説明】
【００３６】
１００・・・移動式医療機械器具設置ステーション
１１０・・・本体部
１１１・・・第１レール部材
１１２・・・第１パネル部材
１１２ａ・・・取付窓
１１３・・・第２レール部材
１１４・・・第２パネル部材
１１４ａ・・・取付窓
１１８、１１９・・・サービスユニット
１３０・・・ベース部
１４０・・・キャスター
１５０、１５４、１５６・・・アーム部
１５２・・・クランプネジ
１５５、１５７・・・テーブル
１６０・・・ポール
１６２・・・輸液用フック
【要約】
【課題】
ユーザーの希望に応じて、仕様変更の行いやすい移動式医療機械器具設置ステーションを低コストで提供する。
【解決手段】
縦型レール部材１１１、１１３と縦型パネル部材１１２、１１４の両部材の長手面を合わせるように順次連結することによって管状に構成した本体部１１０と、当該本体部１１０が立設されるベース部１３０と、当該ベース部１３０に備わるキャスター１４０と、を備え、縦型パネル部材１１２、１１４には、種々のサービスユニット１１８，１１９を取り付ける為の取付窓１１２ａ、１１４ａが備わる。また、縦型レール部材１１１、１１３の所望の位置にはアーム部１５０、１５４、１５６を取り付けることができる。
【選択図】図１【図１】
0005733774.tif 000002
【図２】
0005733774.tif 000003
【図３】
0005733774.tif 000004
【図４】
0005733774.tif 000005
【図５】
0005733774.tif 000006
【図６】
0005733774.tif 000007
【図７】
0005733774.tif 000008
【図８】
0005733774.tif 000009